(57)【要約】【課題】画像における特定の被写体像の状態に合わせて再生画像を表示すること。【解決手段】画像再生装置１００は、複数の再生画像にそれぞれ写る人物被写体の笑顔の度合いに応じて画像を表示する表示期間を設定し、設定した表示期間に従って各再生画像を表示部１７に順次表示する。このとき、画像再生装置１００は、再生画像毎に写る人物被写体の笑顔度に応じた拡大倍率に従って、各再生画像に表示される顔を拡大表示する。このため、再生画像における人物被写体の顔の笑顔の状態に合わせて再生画像を表示することができる。【選択図】      図８
2010219982.tif 000002
【特許請求の範囲】
【請求項１】
１以上の画像を表示する表示画面と、
前記１以上の画像のそれぞれにおける顔の表情の度合いに応じて、前記１以上の画像をそれぞれ表示する表示期間を設定する表示期間設定手段と、
前記１以上の画像を、それぞれ、前記表示期間設定手段により設定された表示期間だけ前記表示画面に表示させる再生制御手段と、
を備えることを特徴とする画像再生装置。
【請求項２】
前記表情の度合いとは、笑顔の度合いである
ことを特徴とする請求項１に記載の画像再生装置。
【請求項３】
前記表示期間設定手段は、
前記再生制御手段が前記１以上の画像のうち表情の度合いが第１の閾値以下の顔が写る画像を前記表示画面に表示させないように、前記表情の度合いが前記第１の閾値以下の顔が写る画像の前記表示期間を設定する
ことを特徴とする請求項１または２に記載の画像再生装置。
【請求項４】
前記表示期間設定手段は、
前記再生制御手段がユーザの操作を受け付けるまで前記１以上の画像のうち表情の度合いが第２の閾値以上の顔が写る画像を前記表示画面に表示させたままにするように、前記表情の度合いが前記第２の閾値以上の顔が写る画像の前記表示期間を設定する
ことを特徴とする請求項１から３のいずれか１項に記載の画像再生装置。
【請求項５】
ユーザの操作に応答して、前記１以上の画像のいずれかにおける任意の顔を指定する顔指定手段と、
前記１以上の画像のそれぞれに対し、前記顔指定手段により指定された顔を検出するための顔検出動作を実行する顔検出手段と、
前記１以上の画像の中から、前記顔検出手段により顔が検出された画像のみを抽出する画像抽出手段と、をさらに備え、
前記表示期間設定手段は、
前記画像抽出手段により抽出された画像のそれぞれにおける、前記顔指定手段により指定された顔の表情の度合いに応じて、前記画像抽出手段により抽出された画像をそれぞれ表示する表示期間を設定し、
再生制御手段は、
前記前記画像抽出手段により抽出された画像のみを、それぞれ、前記表示期間設定手段により設定された表示期間だけ前記表示画面に表示させる
ことを特徴とする請求項１から４のいずれか１項に記載の画像再生装置。
【請求項６】
前記１以上の画像におけるそれぞれの顔の表情の度合いに応じて、前記１以上の画像における顔の拡大倍率を設定する拡大倍率設定手段と、
前記拡大倍率設定手段により設定された拡大倍率に従って、前記１以上の画像における顔の画像を拡大した拡大顔画像を生成する画像拡大手段と、をさらに備え、
前記再生制御手段は、
前記画像拡大手段により生成された拡大顔画像を、前記画像拡大手段により拡大された顔の画像が写る画像とともに前記表示画面に表示させることを特徴とする請求項１から５のいずれか１項に記載の画像再生装置。
【請求項７】
１以上の画像を表示する表示画面と、
前記１以上の画像のそれぞれにおける顔の笑顔の度合いに応じて、前記１以上の画像における顔の拡大倍率を設定する拡大倍率設定手段と、
前記拡大倍率設定手段により設定された拡大倍率に従って、前記１以上の画像における顔の画像を拡大した拡大顔画像を生成する画像拡大手段と、
前記画像拡大手段により生成された拡大顔画像を前記表示画面に表示させる再生制御手段と、
を備えることを特徴とする画像再生装置。
【請求項８】
１以上の画像を表示する表示画面を備えるコンピュータを、
前記１以上の画像のそれぞれにおける顔の表情の度合いに応じて、前記１以上の画像をそれぞれ表示する表示期間を設定する表示期間設定手段、
前記１以上の画像を、それぞれ、前記表示期間設定手段により設定された表示期間だけ前記表示画面に表示させる再生制御手段、
として機能させるプログラム。
【請求項９】
１以上の画像を表示する表示画面を備えるコンピュータを、
前記１以上の画像のそれぞれにおける顔の表情の度合いに応じて、前記１以上の画像における顔の拡大倍率を設定する拡大倍率設定手段、
前記拡大倍率設定手段により設定された拡大倍率に従って、前記１以上の画像における顔の画像を拡大した拡大顔画像を生成する画像拡大手段、
前記画像拡大手段により生成された拡大顔画像を前記表示画面に表示させる再生制御手段、
として機能させるプログラム。
【発明の詳細な説明】
【技術分野】
【０００１】
本発明は、画像再生処理に関し、特に、画像の状態に合わせて当該画像を表示する技術に関する。
【背景技術】
【０００２】
この種の技術としては、特許文献１に、再生画像毎の画像の状態（コントラストなど）に応じた表示期間で複数の再生画像を順次表示する技術や、ある再生画像における複数の一部領域毎の画像の状態に応じた表示期間でこれら一部領域をそれぞれ拡大して順次表示する技術が提案されている。特許文献１に記載の技術によれば、例えば、滑らかな部分が多い再生画像や一部領域は短い時間だけ表示し、変化の激しい部分が多い再生画像や一部領域は長い時間表示するので、各再生画像や各一部領域の画像の状態に合わせた再生が可能となる。
【先行技術文献】
【特許文献】
【０００３】
【特許文献１】特開２００４−３２０３７９号公報
【発明の概要】
【発明が解決しようとする課題】
【０００４】
しかしながら、特許文献１に記載の技術によれば、主要被写体や背景被写体も含んだ再生画像の全体における画像状態に応じて、当該再生画像の全体の表示時間を決定している。また、再生画像における一部領域内の全体の画像状態に応じて、当該一部領域毎の表示時間を決定している。このため、特許文献１に記載の技術では、再生画像における特定の被写体（例えば、人物の顔）の画像の状態に合わせた、再生画像の表示ができないという課題があった。
【０００５】
そこで、本発明の目的は、画像における特定の被写体像の状態に合わせて再生画像を表示することにある。
【課題を解決するための手段】
【０００６】
本発明の第一の側面は、
１以上の画像を表示する表示画面と、
前記１以上の画像のそれぞれにおける顔の表情の度合いに応じて、前記１以上の画像をそれぞれ表示する表示期間を設定する表示期間設定手段と、
前記１以上の画像を、それぞれ、前記表示期間設定手段により設定された表示期間だけ前記表示画面に表示させる再生制御手段と、
を備える。
【０００７】
本発明の第二の側面は、
１以上の画像を表示する表示画面と、
前記１以上の画像のそれぞれにおける顔の表情の度合いに応じて、前記１以上の画像における顔の拡大倍率を設定する拡大倍率設定手段と、
前記拡大倍率設定手段により設定された拡大倍率に従って、前記１以上の画像における顔の画像を拡大した拡大顔画像を生成する画像拡大手段と、
前記画像拡大手段により生成された拡大顔画像を前記表示画面に表示させる再生制御手段と、
を備える。
【発明の効果】
【０００８】
本発明によれば、画像における特定の被写体像の状態に合わせて再生画像を表示できる。
【図面の簡単な説明】
【０００９】
【図１】本発明の実施形態に係る画像再生装置の機能構成を示すブロック図である。
【図２】本発明の実施形態に係る画像再生処理の流れを示すフローチャートである。
【図３】本発明の実施形態において再生画像に写る人物の顔がタッチされる様子を示す図である。
【図４】本発明の実施形態において全再生画像から抽出された再生画像の一例を示す図である。
【図５】本発明の実施形態において再生画像毎に算出された笑顔度を示す笑顔度テーブルの一例を示す図である。
【図６】本発明の実施形態において笑顔度と表示期間と拡大倍率との対応関係を規定する画像表示テーブルを示す図である。
【図７】本発明の実施形態における特定の再生画像に対しそれぞれ設定された表示期間と拡大倍率とを示す図である。
【図８】本発明の実施形態において再生画像が順次表示される様子の一例を示す図である。
【図９】本発明の実施形態において端正度と表示期間と拡大倍率との対応関係を規定する画像表示テーブルを示す図である。
【発明を実施するための形態】
【００１０】
以下、図面を参照して、本発明の一実施形態に係る画像再生装置１００について説明する。画像再生装置１００は、デジタルフォトスタンド（デジタル写真立て）などにより構成することができる。
【００１１】
図１は、本実施形態に係る画像再生装置１００の機能的構成を示すブロック図である。図１を用いて、本実施形態に係る画像再生装置１００の構成を説明する。
【００１２】
画像再生装置１００は、制御部１０と、ＲＡＭ１１と、ＲＯＭ１２と、記録媒体１３と、読出部１４と、画像メモリ１５と、表示駆動部１６と、表示部１７と、タッチパネル１８と、顔画像切出部１９と、顔検出部２０と、笑顔度算出部２１と、画像拡大部２２と、操作部２３と、を備える。
【００１３】
制御部１０は、画像再生装置１００の全体の動作を制御する。制御部１０は、再生制御部１０ａと、画像抽出部１０ｂと、表示期間設定部１０ｃと、拡大倍率設定部１０ｄと、を備える。制御部１０は、ＣＰＵ（Central Processing Unit）などにより構成される。
【００１４】
ＲＡＭ（Random Access Memory）１１は、制御部１０が各処理を実行する際にワーキングエリアとして使用される。ＲＯＭ１２（Read Only Memory）は、画像再生装置１００が各処理を実行するのに必要なプログラムやデータを記憶する。制御部１０は、ＲＡＭ１１をワーキングエリアとして、ＲＯＭ１２に記憶されているプログラムとの協働により各処理を実行する。
【００１５】
記録媒体１３には、例えば、デジタルカメラなどにより撮影された複数の画像をそれぞれ表現するための複数の画像データが予め記録されている。記録媒体１３は、読出部１４に着脱可能に接続されている。記録媒体１３は、半導体メモリカードなどから構成される。
【００１６】
読出部１４は、制御部１０による制御に従って、記録媒体１３から画像データを読み出して、読み出された画像データを画像メモリ１５に記憶させる。以下の説明においては、記録媒体１３に記録されていた画像データにより表現される画像を、再生画像と呼ぶことにする。
【００１７】
画像メモリ１５は、読出部１４により読み出された画像データを記憶する。画像メモリ１５が画像データを記憶する記憶領域は、記録媒体１３から読み出された全ての再生画像が記憶される記憶領域と、後述の再生画像の抽出処理により抽出される再生画像を記憶する別の記憶領域と、を含んで構成される。画像メモリ１５は、ＤＲＡＭ（Dynamic Random Access Memory）などから構成される。
【００１８】
表示駆動部１６は、制御部１０による制御に従って、画像メモリ１５に記憶された画像データをアナログ信号に変換して出力する。表示駆動部１６は、ＶＲＡＭ（Video Random Access Memory）やＤ／Ａ（Digital／Analog）変換器などから構成される。
【００１９】
表示部１７は、表示駆動部１６から供給されたアナログ信号により表現される再生画像などを表示する。表示部１７は、再生画像を表示する表示画面である液晶ディスプレイ（不図示）などから構成される。
【００２０】
タッチパネル１８は、表示部１７の液晶ディスプレイ上においてユーザの指やペンによりタッチがなされた位置を検出する。タッチパネル１８は、透明な感圧式のタッチパネルであり、表示部１７の液晶ディスプレイの前面に配置されている。以下の説明においては、タッチパネル１８（液晶ディスプレイ）に対してユーザの指やペンが接触したことをタッチと呼び、タッチパネル１８（液晶ディスプレイ）上でタッチがなされた位置をタッチ点と呼ぶことにする。タッチパネル１８は、ユーザの指やペンが表示部１７の液晶ディスプレイ上の任意の位置にタッチされると、タッチ点に対応した座標を検出し、検出した座標を示す信号を顔画像切出部１９に供給する。このように、本実施形態においては、タッチパネル１８が、ユーザの操作に応答して、再生画像における任意の顔を指定する顔指定手段として機能する。なお、上述の座標とは、液晶ディスプレイの表示領域を構成する各画素の位置を示すものである。
【００２１】
顔画像切出部１９は、再生画像から、タッチパネル１８から供給される信号が示すタッチ点を中心とする所定の領域に含まれる画像を、テンプレート顔画像として切り出す。つまり、ユーザが、表示部１８に表示されている再生画像上の任意の顔をタッチすると、このタッチ点を中心とする所定の領域に含まれる顔画像を、テンプレート顔画像として切り出す。そして、顔画像切出部１９は、ユーザの指定に応答して切り出した顔画像に対応する画像データを顔検出部２０に供給する。
【００２２】
また、顔画像切出部１９は、後述する顔検出処理に際して、顔検出部２０により再生画像からそれぞれ検出された顔画像を、再生画像からそれぞれ切り出し、切り出した顔画像に対応する各画像データを画像拡大部２２に供給する。
【００２３】
顔検出部２０は、再生画像から、テンプレート顔画像が表す顔画像（ユーザによりタッチされた顔画像）を検出する。具体的には、顔検出部２０は、再生画像内に設定された着目領域の画像と、顔画像切出部１９から供給されたテンプレート顔画像とを対比することにより、両画像の類似度を判定する。そして、その類似度に基づいて、着目領域に顔が含まれているか否か（着目領域が顔であるか否か）を検出する。類似判定は、顔画像（テンプレート顔画像）であるか否かを識別するのに有効な特徴量を抽出することによって行う。特徴量は、水平エッジ、垂直エッジ、右斜めエッジ、左斜めエッジ等である。
【００２４】
再生画像において着目領域は一画素ずつ左右方向又は上下方向にずらされる。そして、ずらされた後の着目領域内の画像とテンプレート顔画像とが対比されて、再度、両画像の類似度が判定され、同様の検出が行われる。このように、着目領域は、例えば再生画像の左上から右下方向に向けて１画素ずつずらされながら、更新設定される。また、再生画像を一定割合で縮小し、縮小後の画像に対して、同様の顔検出処理を行う。このような処理を繰り返すことにより、再生画像中から任意の大きさの顔画像を検出することができる。
【００２５】
笑顔度算出部２１は、再生画像に写る顔の笑顔度（顔が笑っている度合い）を算出する。笑顔度を算出するする手法としては様々な手法が公知となっており、笑顔度算出部２１はいずれの手法も採用可能である。例えば、笑顔度を算出するする手法として特開２００４−４６５９１号公報に記載の手法を採用できる。この手法を採用した場合、笑顔度算出部２１は、ＲＯＭ１２に予め記憶されている笑顔評価基準テーブルを参照して、顔画像のまゆ、瞳孔、唇の各要素の形状の評価ポイントを算出し、各評価ポイントを係数により重み付けしたものを合算して再生画像の顔画像における笑顔度とする。
【００２６】
画像拡大部２２は、顔検出部２０により検出された顔画像に対し、笑顔度算出部２１により算出された笑顔度に応じた拡大倍率に従い拡大処理を施すことにより拡大顔画像を生成して、生成した拡大顔画像を表現する画像データを再生制御部１０ａに供給する。画像拡大部２２の内部には、不図示のＲＡＭ（Random Access Memory）が設けられており、顔画像切出部１９から供給された各顔画像を表現する複数の画像データがこのＲＡＭ上に展開される。そして、画像拡大部２２は、このＲＡＭをワーキングエリアとして使用することにより、拡大顔画像を表現する画像データを生成する処理を行う。
【００２７】
操作部２３は、ユーザから各種ボタンの操作を受け付ける。操作部２３は、電源ボタン、十字ボタン、決定ボタン、メニューボタンなどを備える。操作部２３は、ユーザから受け付けた各種ボタンの操作に対応した信号を制御部１０に供給する。制御部１０は、操作部２３からこれらの信号を受信すると、受信した信号に基づいた処理を実行する。
【００２８】
図２は、本実施形態に係る画像再生装置１００が実行する画像再生処理の流れを示すフローチャートである。図２を用いて、画像再生装置１００が実行する画像再生処理の内容を説明する。この画像再生処理は制御部１０が行うが、以下の説明では、制御部１０が備える、再生制御部１０ａ、画像抽出部１０ｂ、表示期間設定部１０ｃ、拡大倍率設定部１０ｄが画像再生処理を行うものとする。
【００２９】
ユーザが電源ボタンを操作することにより画像再生装置１００に電源が投入されると、制御部１０は、ＲＯＭ１２に記憶されているプログラムを読み出して、このプログラムとの協働により画像再生処理を開始する。
【００３０】
まずステップＳＡ１において、再生制御部１０ａは、記録媒体１３に記録されている再生画像を全て読み出す処理を実行する。具体的には、制御部１０は、読出部１４に、記録媒体１３に記録されている全ての画像データを読み出させて、読み出された全ての画像データを画像メモリ１５に記憶させる。
【００３１】
次にステップＳＡ２において、再生制御部１０ａは、表示部１７の液晶ディスプレイに全ての再生画像を１枚ずつコマ送り表示する処理を開始する。ステップＳＡ２にて再生画像をコマ送り表示する処理は、画像メモリに記憶されている全ての再生画像を、記録媒体１３に各再生画像が記録された順番で、所定時間（例えば２秒）ずつ自動的にコマ送り表示する処理である。また、再生制御部１０ａは、ユーザの操作部２３の十字ボタンの操作に応じた信号に応答して、全ての再生画像を１枚ずつコマ送り表示するようにしてもよい。
【００３２】
次にステップＳＡ３において、再生制御部１０ａは、ステップＳＡ２のコマ送り表示処理がなされている最中に、表示部１７に現在表示されている再生画像における顔画像がユーザにより指定されたか否かを判断する。具体的には、再生制御部１０ａは、タッチパネル１８から供給されるタッチ点を示す信号を監視することにより、顔画像がユーザにより指定されたか否かを判断する。再生制御部１０ａは、顔画像がユーザにより指定（タッチ）されていないと判断した場合（ステップＳＡ３；ＮＯ）、ステップＳＡ２に処理を戻すことにより再生画像のコマ送り表示処理を継続させる。一方、再生制御部１０ａは、顔画像がユーザにより指定（タッチ）されたと判断した場合（ステップＳＡ３；ＹＥＳ）、ステップＳＡ４に処理を進める。
【００３３】
次にステップＳＡ４において、再生制御部１０ａは、ステップＳＡ３にてユーザにより指定された顔画像を切り出す。具体的には、再生制御部１０ａは、顔画像切出部１９に、再生画像から、タッチパネル１８から供給される信号が示すタッチ点を中心とする所定の領域に含まれる画像を、テンプレート顔画像として切り出させる。つまり、再生制御部１０ａは、ユーザが表示部１７の液晶ディスプレイに表示されている再生画像上の任意の顔をタッチすると、顔画像切出部１９にこのタッチ点を中心とする所定の領域に含まれる顔画像をテンプレート顔画像として切り出させる。そして、顔画像切出部１９は、切り出したテンプレート顔画像に対応する画像データを顔検出部２０に供給する。
【００３４】
図３は、ステップＳＡ４において、表示部１７の液晶ディスプレイに表示される特定の再生画像４１に写る人物３１、人物３２のうち、人物３１の顔がペンによりタッチされる様子を示す図である。人物３１の顔がタッチされると、再生制御部１０ａは、顔画像切出部１９は、図３に示される、人物３１の顔を囲む矩形枠内の画像領域を前述の所定の領域として切り出す。なお、再生画像４１の画像データのファイル名は、「ＤＳＣ０００５」である。
【００３５】
次にステップＳＡ５において、再生制御部１０ａは、画像メモリ１５に記憶された全ての再生画像のそれぞれから、ステップＳＡ３にてユーザにより指定された顔画像（ステップＳＡ４の処理により切出された顔画像）を検出する処理を実行する。このとき、再生制御部１０ａは、顔検出部２０に、各再生画像において着目領域を一画素ずつ左右方向又は上下方向にずらしながら、ずらされた後の着目領域内の画像とテンプレート顔画像（ステップＳＡ４の処理により切出された顔画像）とを対比する度に、着目領域とテンプレート顔画像との類似度を算出させる。そして、算出した類似度に基づき、ステップＳＡ３の処理により指定された顔画像が検出される。また、再生制御部１０ａは、画像切出部１９に、ステップＳＡ５の処理にて各再生画像から検出された顔画像を切り出させて、切り出させた顔画像に対応する画像データを画像拡大部２２に供給させる。
【００３６】
次にステップＳＡ６において、画像抽出部１０ｂは、画像メモリ１５に記憶された全ての再生画像の中から、ステップＳＡ５の処理により検出された顔画像が写る再生画像のみを抽出する。画像抽出部１０ｂは、画像メモリ１５において、抽出した再生画像を、抽出されなかった再生画像が記憶されていた記憶領域とは異なる記憶領域に記憶させる。
【００３７】
ここで、以下の説明においては、ステップＳＡ６の処理により抽出された再生画像を抽出再生画像と呼び、ステップＳＡ５の処理により検出された顔画像を検出顔画像と呼ぶことにする。
【００３８】
図４に、ステップＳＡ３において図３に示される再生画像４１上の人物３１の顔がタッチされた場合において、ステップＳＡ６の処理により得られる抽出再生画像である再生画像４１（図４（Ａ）参照），再生画像４２（図４（Ｂ）参照），再生画像４３（図４（Ｃ）参照）が示されている。図４に示されるように、再生画像４１，４２，４３のいずれにも、ステップＳＡ３においてタッチされた人物３１の顔が写っている。なお、上述の通り再生画像４１の画像データのファイル名は、「ＤＳＣ０００５」である。また、再生画像４２，４３の画像データのファイル名は、それぞれ、「ＤＳＣ０００７」、「ＤＳＣ０００９」である。
【００３９】
次にステップＳＡ７において、再生制御部１０ａは、抽出再生画像毎の検出顔画像（ユーザにより指定された顔画像）の笑顔度を算出する。具体的には、再生制御部１０ａは、笑顔度算出部２１に、抽出再生画像毎に検出顔画像の笑顔度を算出させる。そして、再生制御部１０ａは、抽出再生画像毎に算出された検出顔画像の笑顔度を、各抽出再生画像自体の笑顔度として、ＲＡＭ１１に生成する笑顔度テーブル上に記憶させる。
【００４０】
図５は、笑顔度テーブルの一例を示す図であって、上述の再生画像４１，４２，４３のそれぞれの笑顔度を示す図である。図５に示されるように、ファイル名が「ＤＳＣ０００５」である再生画像４１の笑顔度は５０であり、ファイル名が「ＤＳＣ０００７」である再生画像４２の笑顔度は０であり、ファイル名が「ＤＳＣ０００９」である再生画像４３の笑顔度は８５である。本実施形態においては、笑顔度は０〜１００の範囲内の整数により算出される。そして、笑顔度の数値が大きいほど顔が笑っている度合いが大きくなり、笑顔度の数値が小さいほど顔が笑っている度合いが小さくなる。そして、本実施形態においては、笑顔度が０である顔は全く笑っていない顔であるものとし、笑顔度が１以上である顔は笑っている顔であるものとする。
【００４１】
次にステップＳＡ８において、表示期間設定部１０ｃは、ステップＳＡ７の処理により算出された笑顔度（検出顔画像の笑顔度）に応じて、抽出再生画像毎の表示期間を設定する。この表示期間とは、後述するステップＳＡ１０の処理において、抽出再生画像が表示部１７にそれぞれ表示される期間である。この表示期間の設定処理に際して、表示期間設定部１０ｃは、算出された笑顔度に基づき、図６に示される画像表示テーブルを用いて、抽出再生画像毎の表示期間を設定する。
【００４２】
図６に示される画像表示テーブルは、笑顔度と表示期間と拡大倍率との対応関係を規定するものであって、後述するステップＳＡ１０の処理に際して抽出再生画像が表示部１７に表示される態様を設定するために用いられる。この画像表示テーブルは、ＲＯＭ１２に予め記憶されている。
【００４３】
図６に示されるように、表示期間設定部１０ｃは、抽出再生画像のうち笑顔度が０である抽出再生画像の表示期間を「０秒」に設定する。つまり、再生制御部１０ａが笑顔度が０である抽出再生画像を表示させないように設定する。また、表示期間設定部１０ｃは、抽出再生画像のうち笑顔度が１以上６０以下である抽出再生画像の表示期間を「２秒」に設定する。また、表示期間設定部１０ｃは、抽出再生画像のうち笑顔度が６１以上８０以下である抽出再生画像の表示期間を「５秒」に設定する。また、表示期間設定部１０ｃは、抽出再生画像のうち笑顔度が８１以上である抽出再生画像については表示期間を「コマ送り停止」に設定する。この「コマ送り停止」は、再生制御部１０ａが顔画像の笑顔度が８０以上である抽出再生画像を表示する際に、操作部２３がユーザによる十字ボタンの操作を受け付けるまで、当該抽出再生画像を表示部１７に表示させたままにしておくことを意味する。
【００４４】
次にステップＳＡ９において、拡大倍率設定部１０ｃは、ステップＳＡ７の処理により算出された笑顔度に応じて、各抽出再生画像の拡大倍率を設定する。この拡大倍率とは、後述するステップＳＡ１０の処理において、各抽出再生画像が表示部１７に表示される際に、抽出再生画像毎の検出顔画像が拡大表示される処理に適用される拡大倍率である。この拡大倍率の設定処理に際して、拡大倍率設定部１０ｃは、算出された笑顔度に基づき、例えば図６に示される画像表示テーブルを用いて、各抽出再生画像における検出顔画像の拡大倍率を設定する。
【００４５】
図６に示されるように、拡大倍率設定部１０ｃは、抽出再生画像のうち笑顔度が０である抽出再生画像については、拡大倍率を設定しない。これは、上述の通り、検出顔画像の笑顔度が０である顔画像が写る抽出再生画像は、後述のステップＳＡ１０の処理において表示されないからである。また、拡大倍率設定部１０ｃは、抽出再生画像のうち笑顔度が１以上６０以下である抽出再生画像の拡大倍率を「２倍」に設定する。また、拡大倍率設定部１０ｃは、抽出再生画像のうち笑顔度が６１以上８０以下である抽出再生画像の拡大倍率を「３倍」に設定する。また、拡大倍率設定部１０ｃは、抽出再生画像のうち笑顔度が８１以上である抽出再生画像の拡大倍率を「４倍」に設定する。
【００４６】
図７は、上述の再生画像４１，再生画像４２，再生画像４３に対しそれぞれ設定された、表示期間、拡大倍率の対応関係を概念的に示す図である。これら抽出再生画像の笑顔度と図６に示される画像表示テーブルとの対応関係から理解されるように、再生画像４１は、その笑顔度は５０であっため、表示期間が「２秒」、拡大倍率が「２倍」に設定されている。同様に、再生画像４２は、その笑顔度が０であったため、表示期間が「０秒」に設定されており、拡大倍率は設定されていない。また、再生画像４３は、その笑顔度が８５であったため、表示期間が「コマ送り停止」、拡大倍率が「４倍」に設定されている。
【００４７】
次にステップＳＡ１０において、再生制御部１０ａは、ステップＳＡ８の処理により設定された表示期間に従って、各抽出再生画像を１枚ずつ表示部１７の液晶ディスプレイにコマ送り表示させる。
【００４８】
また、ステップＳＡ１０において、再生制御部１０ａは、表示部１７の液晶ディスプレイに表示される各抽出再生画像上において検出顔画像（ユーザにより指定された顔画像）を、ステップＳＡ９の処理により設定された拡大倍率に従い拡大して表示する。この際、再生制御部１０ａは、画像拡大部２２に、画像切出部１９から供給された各検出顔画像に対し、ステップＳＡ９の処理により設定された拡大倍率に従い拡大処理を施すことにより、拡大顔画像を生成させる。そして、再生制御部１０ａは、生成された拡大顔画像を、拡大顔画像の中心が拡大処理がなされる前の顔画像の中心と一致するように、各抽出再生画像上に表示させる。
【００４９】
図８は、ステップＳＡ１０の処理によって抽出再生画像が表示部１７の液晶ディスプレイに順次表示される様子の一例を示す図であって、上述の再生画像４１，４２，４３が表示部１７に順次表示される様子を示す図である（但し、再生画像４２は表示されない）。これら再生画像４１，４２，４３を表示する場合、ステップＳＡ１０の処理が開始されると、再生制御部１０ａは、まず再生画像４１が「２秒」間だけ表示部１７に表示させる（図８（Ａ）参照）。このとき、再生制御部１０ａは、再生画像４１上に、元の大きさに比べ「２倍」の大きさに拡大された人物３１の顔画像５１を表示させる。次に、再生制御部１０ａは、再生画像４３を表示部１７に表示させる。つまり、再生制御部１０ａは、再生画像４１を２秒間だけ表示部１７に表示させた後、表示期間が「０秒」に設定されている再生画像４２を表示部１７に表示することなく、再生画像４３を表示部１７に表示させる（図８（Ｂ）、図８（Ｃ）参照）。そして、再生制御部１０ａは、表示期間が「コマ送り停止」に設定されている再生画像４２を、ユーザによる操作部２３に対する特定の操作（十字ボタンの操作など）がなされるまで表示部１７に表示させたままにしておく。このとき、再生制御部１０ａは、再生画像４３上に、元の大きさに比べ「４倍」の大きさに拡大された人物３１の顔画像５３を表示させる。そして、再生制御部１０ａは、ユーザによる操作部２３に対する特定の操作がなされるとこの操作に対応した信号を操作部２３から受信することにより、再生画像４１を表示部１７に再度表示させる処理を開始する。以降、同様にして、再生制御部１０ａは、再生画像４１，４２，４３を表示部１７に順次表示させる処理をくり返す（但し、再生画像４２は表示されない）。
【００５０】
次にステップＳＡ１１において、再生制御部１０ａは、各抽出再生画像が１枚ずつ表示部１７にコマ送り表示されている最中に、ユーザが指定する顔画像を変更する指示がなされた否かを判断する。具体的には、再生制御部１０ａは、ユーザによる操作部２３に対する指定する顔画像を変更する操作（決定ボタンの操作など）に対応した信号を受信したか否かにより、ユーザが指定する顔画像を変更する指示がなされたか否かを判断する。再生制御部１０ａは、ユーザが指定する顔を変更する指示がなされていないと判断した場合（ステップＳＡ１１；ＮＯ）、ステップＳＡ１２に処理を進める。一方、再生制御部１０ａは、ユーザが指定する顔を変更するがなされたと判断した場合（ステップＳＡ１１；ＹＥＳ）、ステップＳＡ２に処理を戻す。ステップＳＡ２に処理が戻った場合、再生制御部１０ａは、ステップＳＡ１０の処理を終了させた後に、表示部１７に全ての再生画像を所定時間ずつ自動的にコマ送り表示する処理を再度開始する。
【００５１】
次にステップＳＡ１２において、再生制御部１０ａは、各抽出再生画像が１枚ずつ表示部１７にコマ送り表示されている最中に、ユーザにより画像再生処理を終了する指示がなされた否かを判断する。具体的には、再生制御部１０ａは、ユーザによる操作部２３に対する画像再生処理を終了する操作（メニューボタンの操作など）に対応した信号を受信したか否かにより、ユーザにより画像再生処理を終了する指示がなされたか否かを判断する。再生制御部１０ａは、画像再生処理を終了する指示がなされていないと判断した場合（ステップＳＡ１２；ＮＯ）、ステップＳＡ１０に処理を戻すことにより、各抽出再生画像を１枚ずつ表示部１７にコマ送り表示させる処理を継続する。一方、再生制御部１０ａは、画像再生処理を終了する指示がなされたと判断した場合（ステップＳＡ１２；ＹＥＳ）、画像再生処理を終了させる。
【００５２】
以上説明したように、本実施形態に係る画像再生装置１００は、再生画像に写る人物被写体の笑顔の度合いに応じて画像を表示する表示期間を設定するようにした。このため、再生画像の全体における特定の被写体である人物被写体の笑顔の状態に合わせて再生画像を表示することができる。
【００５３】
また、本実施形態に係る画像再生装置１００は、再生画像に写る人物被写体の笑顔度に応じて、再生画像に表示される顔を拡大表示する際に適用する拡大倍率を設定するようにした。これによっても、再生画像の全体における特定の被写体である人物被写体の笑顔の状態に合わせて再生画像を表示することができる。
【００５４】
また、笑顔度が大きい顔が写っている再生画像は、その再生画像を観賞するユーザの気分を向上させることができるものである可能性が高い。そこで、本実施形態に係る画像再生装置１００は、再生画像に写る顔の笑顔度が大きいほど、表示部１７に再生画像を表示させておく表示期間が長くなるようにした。このため、ユーザは、再生画像を観賞する際に、自身の気分が楽しくなる再生画像である笑顔度の大きい顔が写る再生画像をじっくりと鑑賞できるので、自身の気分をより向上させることができる。
【００５５】
特に、本実施形態に係る画像再生装置１００は、笑顔度が所定の閾値８１以上である顔が写る再生画像を、ユーザによる操作部２３の操作を受け付けるまで、表示部１７に表示させたままにしておくようにした。これにより、ユーザは、笑顔度が比較的非常に大きい顔が写る再生画像を自身の気が済むまで存分に観賞できる。
【００５６】
一方、本実施形態に係る画像再生装置１００は、笑顔度が所定の閾値０以下である顔が写る再生画像を、つまり笑顔が写っていない再生画像を、表示部１７に表示させないようにした。これにより、ユーザは、笑顔ばかりが写った再生画像、つまり自身が観賞して楽しい気分になれる再生画像ばかりを観賞することができる。また、これにより結果として、記録媒体１３に記録されていた再生画像の中から、笑顔が写っている再生画像だけを検索して表示することができる。
【００５７】
また、本実施形態に係る画像再生装置１００は、ユーザによりタッチパネル１８（液晶ディスプレイ）上でタッチされた顔を、笑顔度の算出対象とする顔として扱うようにした。これにより、ユーザ所望の顔の笑顔度に合わせて各再生画像の表示期間が設定されるので、ユーザの意図を的確に反映させて各再生画像を表示することができる。
【００５８】
また、本実施形態に係る画像再生装置１００は、再生画像に写る顔の笑顔度が大きいほど、再生画像に表示される顔を大きく拡大して表示するようにした。このため、ユーザが笑顔度の大きい顔が写る再生画像を観賞する際に、その再生画像に写っている笑顔が小さい場合であってもその小さく写る笑顔を拡大して表示させることにより、ユーザにその笑顔を確実に視認させることができるので、ユーザの気分をより確実に向上させることができる。
【００５９】
また、本実施形態に係る画像再生装置１００は、ユーザによりタッチパネル１８（液晶ディスプレイ）上でタッチされた顔を、笑顔度の算出対象とする顔として扱うようにした。これにより、ユーザ所望の顔の笑顔度に合わせて各再生画像に写る顔画像が拡大表示される際に適用される拡大倍率が設定されるので、ユーザの意図を的確に反映させて各再生画像を表示することができる。
【００６０】
（変形等）
上述の説明文に示した具体的な数値は単なる例示であって、それらの数値を様々な数値に変更することができる。また、上述の実施形態の変形例を以下に記載する。以下の各変形例は、その内容に矛盾なき限り、任意に組み合わせることが可能である。
【００６１】
本実施形態では、ステップＳＡ８の処理にて、表示期間設定部１０ｃは、再生画像における人物の顔の笑顔度に応じて表示期間を設定するようにした。しかし、表示期間設定部１０ｃは、ステップＳＡ８の処理にて、再生画像における人物の顔の端正度（顔の端正さの度合い）や泣き顔度（顔が泣いている度合い）や怒り顔度（顔が怒っている度合い）に応じて表示期間を設定するようにしてもよい。例えば、ステップＳＡ７にて端正度を算出する処理を実行するようにし、ステップＳＡ８の処理にて算出された端正度に応じて表示期間を設定するようにしてもよい。この場合、端正度を算出する手法として、例えば、特開２００４−４６５９１号公報に記載の手法を採用できる。また、この場合、表示期間設定部１０ｃは、ステップＳＡ８の処理に際して、算出された端正度に基づき、例えば図９に示される画像表示テーブル（ＲＯＭ１２に予め記憶されている）を用いて表示期間を設定する。なお、この場合、笑顔度算出部２２に変えて、端正度を算出するための画像処理回路を画像再生装置１００内に設ければよい。
【００６２】
本実施形態では、ステップＳＡ９の処理にて、拡大倍率設定部１０ｃは、再生画像における人物の顔の笑顔度に応じて拡大倍率（検出顔画像の拡大倍率）を設定するようにした。しかし、拡大倍率設定部１０ｃは、ステップＳＡ９の処理にて、上述の端正度や泣き顔度や怒り顔度に応じて拡大倍率を設定するようにしてもよい。
【００６３】
本実施形態では、タッチパネル１８を利用してユーザにより指定された顔が写る再生画像（抽出再生画像）のみを、ステップＳＡ１０の処理にて表示部１７に表示させるようにした。しかし、ステップＳＡ３からステップＳＡ６までの各処理を省略してもよい。この場合、再生制御部１０ａは、ステップＳＡ７の処理にて全ての再生画像（ステップＳＡ１の処理により記録媒体１３から読み出された全ての再生画像）の笑顔度をそれぞれ算出して、算出された笑顔度に応じて画像表示テーブルから定まる表示期間で、ステップＳＡ１０の処理にて全ての再生画像を順次表示するようにしてもよい。なお、複数の人物の顔が写る再生画像の笑顔度は、複数の人物の顔毎の笑顔度の平均値とすればよい。
【００６４】
また、この場合、再生制御部１０ａは、ステップＳＡ７の処理にて算出された全ての再生画像毎の笑顔度に応じて画像表示テーブルから定まる拡大倍率に従って、ステップＳＡ１０の処理にて、表示部１７に順次表示される各再生画像上に写る顔画像を拡大して表示させることとなる。なお、複数の人物の顔が写る再生画像については、ステップＳＡ７の処理にて算出された全ての再生画像毎の笑顔度に応じた拡大倍率に従って、その複数の人物の顔画像をそれぞれ拡大して表示させるものとする。
【００６５】
また、ステップＳＡ８の処理のみを省略することにより、ステップＳＡ１０の処理にて各抽出再生画像を表示させる表示期間を笑顔度によらずそれぞれ一定期間（例えば２秒）として、各抽出再生画像上の検出顔画像を拡大表示させる際に適用する拡大倍率のみを、各抽出再生画の笑顔度に応じたものに設定してもよい。
【００６６】
本実施形態では、ステップＳＡ１０において、抽出再生画像上に拡大顔画像を表示させるようにした。しかし、ステップＳＡ１０において、再生制御部１０ａは、抽出再生画像自体を表示させることなく、各抽出再生画像の拡大顔画像のみを、ステップＳＡ８の処理にて設定された表示期間に従って、表示部１７に順次表示するようにしてもよい。
【００６７】
なお、本実施形態では、記録媒体１３に記録されていた複数の再生画像のそれぞれにおける顔の笑顔度に応じた表示期間に従って、複数の再生画像をそれぞれ表示部１７に表示させるようにした。しかし、再生制御部１０ａは、記録媒体１３に記録されていた再生画像が１枚だけであっても、画像再生処理の開始後に、その１枚の再生画像に写る顔の笑顔度に応じた表示期間で、その１枚の再生画像を表示部１７に表示させた後、画像再生処理を終了させるようにしてもよい。
【００６８】
本発明は、画像を再生する機能を有する装置に適宜適用することができる。本発明は、例えば、デジタルカメラやパーソナルコンピュータにも適用することができる。
【００６９】
上述の実施形態は本発明の単なる例に過ぎず、本発明を限定する趣旨のものではない。したがって、本実施形態に対してなされ得る変形はすべて本発明に含まれるものである。
【符号の説明】
【００７０】
１００・・・画像再生装置、１０・・・制御部、１１・・・ＲＡＭ、１２・・・ＲＯＭ、１３・・・記録媒体、１４・・・読出部、１５・・・画像メモリ、１６・・・表示駆動部、１７・・・表示部、１８・・・タッチパネル、１９・・・顔画像切出部、２０・・・顔検出部、２１・・・笑顔度算出部、２２・・・画像拡大部、２３・・・操作部
【図１】
2010219982.tif 000003
【図２】
2010219982.tif 000004
【図３】
2010219982.tif 000005
【図４】
2010219982.tif 000006
【図５】
2010219982.tif 000007
【図６】
2010219982.tif 000008
【図７】
2010219982.tif 000009
【図８】
2010219982.tif 000010
【図９】
2010219982.tif 000011